(57)【特許請求の範囲】
【請求項１】
板状体の本体部と、該本体部に弱化部によって切り離し自在に連結された板状体の切離し部とを備えた土台パッキン用スペーサにおいて、
上記切離し部が本体部から切り離されたときに、上記本体部に、その一辺側を開口したアンカーボルトを挿通する穴が形成される構成とされ、
切離し部は、本体部の一辺側に対応する辺にアンカーボルトを挿通させる半穴が形成され、
切離し部が２個以上設けられたことを特徴とする土台パッキン用スペーサ。
【請求項２】
弱化部によって切離し自在とされた補助部が切離し部に隣接して設けられたことを特徴とする請求項１記載の土台パッキン用スペーサ。
【請求項３】
切離し部には、半穴と該半穴が形成された辺との両方又はいずれか一方に開口する切欠溝が設けられたことを特徴とする請求項１又は２記載の土台パッキン用スペーサ。
【請求項４】
本体部の一辺側からその対向辺側までの長さ寸法が、土台パッキンの長さ寸法と同じに設定されていることを特徴とする請求項１記載の土台パッキン用スペーサ。
【請求項５】
切離し部は、本体部の幅方向に複数個設けられたことを特徴とする請求項４記載の土台パッキン用スペーサ。
【請求項６】
切離し部は、本体部の長さ方向に複数個設けられたことを特徴とする請求項４又は５記載の土台パッキン用スペーサ。
【請求項７】
弱化部によって切離し自在とされた補助部が切離し部に隣接して設けられたことを特徴とする請求項４〜６のいずれか１つに記載の土台パッキン用スペーサ。
【請求項８】
切離し部には、本体部の一辺側で開口し、対向辺側に向けて延びる切欠溝が設けられたことを特徴とする請求項４〜７のいずれか１つに記載の土台パッキン用スペーサ。
【発明の詳細な説明】
【０００１】
【発明の属する技術分野】
本発明は、布基礎上の土台パッキンと土台との間に挟み込んで両者間の隙間をなくす土台パッキン用スペーサに関するものである。
【０００２】
【従来の技術】
周知のように、軸組構造の家屋は、コンクリート製の布基礎の上に木製土台を載置してアンカーボルトで固定し、この土台に柱を固定することによって組み立てられる。このような軸組構造においては、図１０に示すように、布基礎Ａと土台Ｂとの間に土台パッキンＣを介装して換気を良好にするとともに、布基礎Ａから土台Ｂに移る湿気を遮断することが行われる。
【０００３】
上記の重要な役目を担う土台パッキンＣは、所定の厚さ（例えば、２０ｍｍ）に形成され、布基礎Ａに立設されたアンカーボルトＤをボルト孔に挿通させて所定の間隔で基礎Ａ上に複数配設され、その厚さ分土台Ｂを基礎Ａから浮かせて支持する。
しかし、すべての土台パッキンＣが設計通りに土台Ｂを正しく支持するとは限らず、布基礎Ａ上面の不陸及び土台の反り等に起因して、一部の土台パッキンＣと土台Ｂとの間に隙間が生じる場合がある。
【０００４】
このような場合、土台パッキンＣと土台Ｂの間にスペーサ１０を挟み込んで隙間をなくし、すべての土台パッキンＣに土台Ｂの荷重が均等にかかるようにしている。
【０００５】
上記従来の土台パッキン用スペーサ１０は、板状体の一辺に、アンカーボルトＤを挿通させる半穴を土台パッキンＣのボルト孔の形状に合わせて形成したものを、２枚、土台パッキンＣと土台Ｂとの間に互いに反対側から差し込む構造となっている（特開平１０−２０５０１０号公報）。
【０００６】
ところで、土台パッキンＣのボルト孔には、土台パッキンＣの土台Ｂに対する接触面積（支持面積）をなるべく狭くしないという条件下で、アンカーボルトＤの位置上の誤差の吸収機能が求められる。このため、ボルト孔をＴ字状や＋字状にした種々の土台パッキンが開発されている。この点はスペーサも同じである。
【０００７】
【発明が解決しようとする課題】
アンカーボルトを挿通させる半穴を土台パッキンのボルト孔の形状に合わせた従来のスペーサの構造では、土台パッキンと同じように支持面積（機能）と誤差吸収機能の互い相反する点を合理的に解決することができず、しかも、その使用が、半穴に一致したボルト孔を持つ土台パッキンに限られ、他の土台パッキンでは、当然ながら、アンカーボルトの誤差吸収範囲が土台パッキンとスペーサで異なることが多く、使い勝手が極端に悪くなる不都合がある。
【０００８】
本発明は、土台パッキンと土台に対する接触面積を必要以上に狭くしないでアンカーボルトの位置上の誤差を十分に吸収することができ、しかも汎用性に優れた土台パッキン用スペーサを提供することを目的とする。
【０００９】
【課題を解決するための手段】
上記の目的を達成するために、請求項１記載の発明は、板状体の本体部と、該本体部に弱化部によって切り離し自在に連結された板状体の切離し部とを備えた土台パッキン用スペーサにおいて、上記切離し部が本体部から切り離されたときに、上記本体部に、その一辺側を開口したアンカーボルトを挿通する穴が形成される構成とされ、切離し部は、本体部の一辺側に対応する辺にアンカーボルトを挿通させる半穴が形成され、切離し部が２個以上設けられたことを特徴としている。
【００１０】
この手段では、アンカーボルトに対応する切離し部を弱化部で切り離し、その部分にアンカーボルトが挿通されるように、スペーサを土台パッキンと土台の間に挟み込む。アンカーボルトが所定位置からずれて設けられているときは、そのずれに合わせて、スペーサを切離し部が本体部から切り離されて形成された穴の範囲で移動させる。この使用状態では、アンカーボルトの挿通に必要な部分が切除されただけであるので、スペーサの土台パッキンと土台とに対する接触面積の減少は最低限度に抑えてアンカーボルトの位置上の誤差を十分に吸収することができる。
弱化部は、細い橋絡部とするのが一般的であるが、これに限らず、肉厚を切り離し自在に溝状に薄くして弱化部とするなどのこともできる。
【００１１】
また、切離し部は、本体部の一辺側に対応する辺にアンカーボルトを挿通させる半穴が形成されている。
この構成により、アンカーボルトが基礎の所定位置に正しく設けられている場合、切離し部を本体部から切り離さずに、半穴をアンカーボルトの位置に一致させて土台パッキン用スペーサを土台パッキンと土台の間に差し込んで使用することができる。この使用状態では、スペーサの土台パッキンと土台に対する接触面積は最大となる。
【００１２】
また、切離し部は、これを切り離さない限り土台に接触してこの支持に働くので、接触面積を減少させずにアンカーボルトの誤差吸収範囲を十分に広くすることができる。このため、本土台パッキン用スペーサを多種類の土台パッキンに使い勝手よく使用することができる。
【００１３】
上記において、一般には、従来同様に２枚の土台パッキン用スペーサを互いに反対側から土台パッキンと土台の隙間に差し込むが、場合によっては１枚のスペーサを本発明の土台パッキン用スペーサとは異なる他のスペーサとすることができる。
【００１４】
また、切離し部を２個以上設けているので、アンカーボルトの位置上の誤差をより幅広く吸収し、また切離し部の切離しによる接触面積の減少をより小さくすることが可能となる。
【００１５】
請求項１記載の土台パッキン用スペーサにおいて、弱化部によって切離し自在とされた補助部を切離し部に隣接して設けることができる（請求項２）。
この構成では、補助部を切り離すことによりアンカーボルトの位置上の誤差を一層幅広く吸収することができるようになり、また、接触面積の減少を一層小さくすることができる。
【００１６】
請求項１又は２記載の土台パッキン用スペーサにおいて、切欠溝を、半穴と該半穴が形成された辺との両方又はいずれか一方に開口して設けることができる（請求項３）。
この構成では、土台パッキンの上面に土台の下面に食い込んで土台に対する土台パッキンの横ずれを防止する突起が設けられているような場合、その突起を切欠溝で避けて土台パッキン用スペーサを土台パッキンと土台の間に差し込むことができる。
【００１７】
請求項１記載の土台パッキン用スペーサにおいて、本体部の一辺側からその対向辺側までの長さ寸法を、土台パッキンの長さ寸法と同じに設定することが好ましい（請求項４）。
この構成では、本体部から切離し部が弱化部で切り離されてアンカーボルトを挿通する穴が形成された土台パッキン用スペーサを、土台パッキンと土台の間に、それらの片側から差し込んで土台パッキンに整合して接触させることができ、その差込作業が容易に行え、使い勝手が極めて良い。
【００１８】
請求項４記載の土台パッキン用スペーサにおいて、切離し部を本体部の幅方向に複数個設けることが好ましい（請求項５）。
この構成では、片側から差し込む形式の土台パッキン用スペーサにおいて、本体部の幅方向におけるアンカーボルトの位置上の誤差を幅広く吸収し、切離し部の切り離しによる上記幅方向における接触面積の減少を小さくすることができる。
【００１９】
請求項４又は５記載の土台パッキン用スペーサにおいて、切離し部を、本体部の長さ方向に複数個設けることが好ましい（請求項６）。
この構成では、片側から差し込む形式の土台パッキン用スペーサにおいて、本体部の長さ方向におけるアンカーボルトの位置上の誤差を幅広く吸収し、また、切離し部の切り離しによる上記長さ方向における接触面積の減少を小さくすることができる。
【００２０】
請求項４〜６のいずれか１つに記載の土台パッキン用スペーサにおいて、弱化部によって切離し自在とされた補助部を切離し部に隣接して設けることができる（請求項７）。
この構成では、片側から差し込む形式の土台パッキン用スペーサにおいて、補助部を切り離すことによりアンカーボルトの位置上の誤差を一層幅広く吸収することができるようになり、また、接触面積の減少を一層小さくすることができる。
【００２１】
請求項４〜７のいずれか１つに記載の土台パッキン用スペーサにおいて、切離し部に、本体部の一辺側で開口し、対向辺側に向けて延びる切欠溝を設けることができる（請求項８）。
この構成では、片側から差し込む形式の土台パッキン用スペーサにおいて、土台パッキンの上面に土台の下面に食い込んで土台に対する土台パッキンの横ずれを防止する突起が設けられているような場合、その突起を切欠溝で避けて土台パッキン用スペーサを土台パッキンと土台の間に差し込むことができる。
【００２２】
【発明の実施の形態】
本発明の実施の形態について添付図面を参照して説明する。
図１と図２は本発明に係る土台パッキン用スペーサの第１の実施の形態を示す。この土台パッキン用スペーサ１は、コ字状の本体部１ａに、切離し部１ｂ，１ｂを複数の細い橋絡部（弱化部）１ｃで切離し自在に連結し、その切離し部１ｂ，１ｂの外側の辺に半穴１ｄを形成するとともに、その半穴１ｄの周縁部に切欠溝１ｅ，１ｆを形成して成る。
【００２３】
本体部１ａと切離し部１ｂ，１ｂとは、同一の厚さに形成され、長辺と短辺の長さの比をほぼ２対１とした長方形の板状体を構成している。
【００２４】
半穴１ｄは、基礎Ａの所定位置に正しく立設されたアンカーボルトＤを挿通させるもので、板状体の一辺（切離し部１ｂ，１ｂの外側の辺）の中央部に半円状に設けられている。
切離し部１ｂは、アンカーボルトＤが所定位置、つまり半穴１ｄの位置からずれて基礎Ａに設けられていたような場合に、橋絡部１ｃを切断して本体部１ａから分離してそこに大きい穴を形成することにより、上記アンカーボルトＤの挿通を可能にするためのものである。
【００２５】
また、切欠溝１ｅ，１ｆは、土台Ｂ（図１０）の下面に食い込んで土台Ｂに対する土台パッキンＣの横ずれを防止するために土台パッキンＣの上面に突起Ｃａが設けられているような場合に、その突起Ｃａを避けて土台パッキン用スペーサ１の差込みを容易にするためのものである。
【００２６】
上記の構成とされた土台パッキン用スペーサ１は、アンカーボルトＤが基礎Ａの所定箇所に位置ずれなく設けられている場合は、２個の土台パッキン用スペーサ１を、切離し部１ｂを切り離すことなくそのままの状態で従来のスペーサと同様に互いに反対側から土台パッキンＣと土台Ｂの間に差し込み、半穴１ｄ，１ｄにアンカーボルトＤを挿通させて使用する。スペーサ１の差込みに際して切欠溝１ｅ，１ｆが土台パッキンＣの突起Ｃａを避けるので、スペーサ１を比較的簡単に土台パッキンＣと土台Ｂの間に挟み込むことができる。
また、切り離されずに残された切離し部１ｂが土台Ｂに接してその支持に働くので、土台支持の安定性が向上する。
【００２７】
アンカーボルトＤが位置ずれしている場合には、そのアンカーボルトＤに対応する切離し部１ｂを橋絡部１ｃで切り離してから、スペーサ１を土台パッキンＣと土台の間に差し込み、切離し部１ｂの切離し部分にあいた穴にアンカーボルトＤを挿通させる。
この場合、切離し部１ｂの切離しは必要最低限度に抑えられるので、アンカーボルトＤの位置ずれ誤差の全範囲をカバーするために最初から大きい半穴を形成した従来のスペーサに比較して土台に対する接触面積が大きくなる。また、アンカーボルトＤの位置ずれを完全に吸収してスペーサ１の外周面を土台パッキンＢの外周面に正しく一致させることができるので、スペーサ１の使用によって外観が損なわれることがない。
【００２８】
図３は本発明の第２の実施の形態を示す。この土台パッキン用スペーサ１は、半長円状の半穴１ｄが形成された切離し部１ｂの両横に、大きい切欠溝１ｅが半穴１ｄから離れて設けられるとともに、その切欠溝１ｅの隣に補助部１ｇが設けられている。
補助部１ｇは、切離し部１ｂと同様に、橋絡部１ｃによって切離し自在に本体部１ａに連結されており、本体部１ａから切り離してその部分にアンカーボルトＤを挿通させることができるようになっている。
【００２９】
本体部１ａと切離し部１ｂ及び補助部１ｇによって構成された板状体の長辺と短辺の長さの比はほぼ３対１とされている。
他の構造は図１及び図２の土台パッキン用スペーサ１と同じであるので、同一の部材等に同一の符号を付してその説明を省略する。
【００３０】
図３の土台パッキン用スペーサ１においては、補助部１ｇ，１ｇが設けられている分、アンカーボルトＤの位置上の誤差をより幅広く吸収することができる。
【００３１】
図４は本発明の第３の実施の形態を示す。この土台パッキン用スペーサ２は、コ字状の本体部２ａと、該本体部２ａの内側において複数の細い橋絡部（弱化部）２ｃによって切り離し自在に本体部２ａに連結された複数（図４の例では３つ）の切離し部２ｂ（２ｂ１，２ｂ２，２ｂ２）とを備えている。
上記本体部２ａと切離し部２ｂとは、同一の厚さに形成され、本体部２ａの幅方向（図４の左右方向）の寸法と長さ方向（図４の上下方向）の寸法を同一とした正方形の平らな板状体を構成している。
【００３２】
中央の切離し部２ｂ１は、本体部２ａの幅方向の中央で１つの橋絡部２ｃで本体部２ａと連結され、上記中央の位置に、本体部２ａの一辺（図４で上辺）２ａ１側で開口し、対向辺（図４で下辺）２ａ２側に向けて延び終端部が本体部２ａから所定距離だけ隔てられた切欠溝２ｄ１が形成されている。中央の切離し部２ｂ１の幅は、アンカーボルトＤの直径の約２倍とされている。
【００３３】
また、中央の切離し部２ｂ１の両側に位置する切離し部２ｂ２，２ｂ２は、本体部２ａの一辺側部と対向辺側とで２つの橋絡部２ｃで本体部２ａに連結されると共に、本体部２ａの長さ方向の中央より僅かに上記対向辺２ａ２側に寄った位置において橋絡部２ｃで中央の切離し部２ｂ１に連結されている。上記両側の切離し部２ｂ２，２ｂ２の幅は、アンカーボルトＤの直径より僅かに大きくされている。
【００３４】
そして、中央の切離し部２ｂ１と両側の切離し部２ｂ２，２ｂ２には、相互に対向する部分に本体部２ａの長さ方向に沿って上記対向辺２ａ側に向けて延びる切欠溝２ｄ２，２ｄ２が形成されている。該切欠溝２ｄ２，２ｄ２は、本体部２ａの一辺２ａ１側で開口し、上記切欠溝２ｄ１より長さが短く形成され、その終端部が本体部２ａの長さ方向の中央に位置されている。
【００３５】
上記中央の切離し部２ｂ１は、橋絡部２ｃを切断して本体部２ａと両側の切離し部２ｂ２，２ｂ２とから分離して、そこに本体部２ａの一辺２ａ１側を開口し対向辺２ａ２側に延びる大きい長穴Ｈを形成することにより、アンカーボルトＤが、所定位置で基礎Ａに設けられていた場合、およびその所定位置から上記幅方向への多少のずれや上記長さ方向への大きなずれを生じて基礎Ａに設けられていた場合に、上記アンカーボルトＤの挿通を可能にするためのものである。
【００３６】
また、上記両側の切離し部２ｂ２，２ｂ２は、アンカーボルトＤが所定位置から上記幅方向と長さ方向に大きくずれて基礎Ａに設けられていたような場合に、本体部２ａと中央の切離し部２ｂ１とから分離して、該中央の切離し部２ｂ１の横に長穴を形成することにより、上記アンカーボルトＤの挿通を可能とするものである。
なお、上記切欠溝２ｄ（２ｄ１，２ｄ２，２ｄ２）は、第１、第２の実施の形態における切り欠き溝１ｅ，１ｆと同様に突起Ｃａを避けるためのものである。
【００３７】
上記の構成とされた土台パッキン用スペーサ２は、アンカーボルトＤが、基礎Ａの所定位置にずれなく設けられている場合や該所定位置から基礎Ａの長さ方向（本体部２ａの幅方向）イへの僅かなずれと基礎Ａの幅方向（本体部２ａの長さ方向）ロへの大きなずれを有して設けられている場合には、中央の切離し部２ｂ１を本体部２ａと両側の切離し部２ｂ２，２ｂ２とから橋絡部２ｃを切断することにより分離し、図５に示すように、基礎Ａの幅方向の片側から、本体部２ａを、その長穴Ｈの開口ｈ側をアンカーボルトＤの方向に向けた状態にして、土台パッキンＣと土台Ｂとの間Ｅに差し込んで使用する。
【００３８】
上記土台パッキン用スペーサ２の差込みに際して切欠溝２ｄ２，２ｄ２が土台パッキンＣの突起Ｃａを避けるので、土台パッキン用スペーサ２を比較的簡単に土台パッキンＣと土台Ｂの間に挟み込むことができる。土台パッキン用スペーサ２は、基礎Ａの片側から差し込むだけで済むので、差込作業が容易に行えて、使い勝手が極めて良い。
また、切り離されずに残された切離し部２ｂ２，２ｂ２が土台Ｂに接してその支持に働くので、土台支持の安定性が向上する。
【００３９】
アンカーボルトＤが基礎Ａの長さ方向と幅方向に大きく位置ずれしている場合には、そのアンカーボルトＤに対応する中央の切離し部２ｂ１の片側にある切離し部２ｂ２を橋絡部２ｃで切り離してから、土台パッキン用スペーサ２を土台パッキンＣと土台Ｂの間に差し込み、切離し部２ｂの切離し部分にあいた長穴にアンカーボルトＤを挿通させる。
【００４０】
この場合も、図１、図３の土台パッキン用スペーサ１と同様に、切離し部２ｂの切離しは必要最低限度に抑えられるので、アンカーボルトＤの位置ずれ誤差の全範囲をカバーするために最初から大きい穴を形成したスペーサに比較して土台に対する接触面積が大きくなる。また、アンカーボルトＤの位置ずれを完全に吸収して土台パッキン用スペーサ２の外周面を土台パッキンＢの外周面に正しく一致させることができるので、スペーサ２の使用によって外観が損なわれることがない。
【００４１】
図６は本発明の第４の実施の形態を示す。この土台パッキン用スペーサ２は、本体部２ａの幅方向（図６の左右方向）の寸法と長さ方向（図６の上下方向）の寸法の比がほぼ３対２とされている。
中央の切離し部２ｂ１は、橋絡部２ｃで相互に連結されかつ本体部２ａと連結されている複数（図６の例では３つ）の分割部で構成され、その両側の切離し部２ｂ２，２ｂ２との間に設ける切欠溝２ｄ（２ｄ２，２ｄ２）は、本体部２ａの対向辺２ａ２側に向けてその対向辺部の中間位置まで切り込まれている。中央の切離し部２ｂ１の各分割部と両側の切離し部２ｂ２，２ｂ２の幅寸法は、アンカーボルトＤの直径より僅かに大きくされている。
【００４２】
そして、両側の切離し部２ｂ２，２ｂ２の両側には、それらとほぼ同じ幅の補助部２ｅ，２ｅが、それぞれ、本体部２ａの一辺２ａ１側からの長さを各切離し部２ｂ１，２ｂ２，２ｂ２の長さより短くして設けられている。
各補助部２ｅ，２ｅは、橋絡部２ｃによって切離し自在に本体部２ａと各切離し部２ｂ２，２ｂ２とに連結されており、本体部２ａと各切離し部２ｂ２，２ｂ２から切り離してその部分にアンカーボルトＤを挿通させることができるようになっている。
【００４３】
その他の構造は図４の土台パッキン用スペーサ２と同じであるので、同一の部材等に同一の符号を付してその説明を省略する。
図６の土台パッキン用スペーサ２においては、補助部２ｅ，２ｅが設けられている分、アンカーボルトＤの位置上の誤差をより幅広く吸収することができる。
【００４４】
図７は本発明の第５の実施の形態を示す。この土台パッキン用スペーサ２は、図４の土台パッキン用スペーサ２における中央の切離し部２ｂ１と両側の切離し部２ｂ２，２ｂ２を、長さ方向に複数（図７の例では３つ）に分割すると共に、本体部２ａの一方の表面の４隅部に突起３を、他方の表面（裏面）に上記突起３に対応する位置に該突起３が嵌合する凹部４を設けたものである。
【００４５】
上記切離し部２ｂ１，２ｂ２，２ｂ２の分割位置は、それらの長さ方向におけるほぼ中間部と、本体部２ａの対向辺側に寄った長さ方向における４分割位置にほぼ一致させた位置となっている。各分割部は、橋絡部２ｃで切離し自在に相互に、もしくは本体部２ａと連結されている。
また、上記突起３と凹部４は、図８に示すように、本体部２ａの一方の辺側（図７の例では一辺２ａ１側）を低くし他方の辺側（図７の例では対向辺２ａ２側）を高くして本体部２ａの長さ方向に勾配が付けられており、土台パッキン用スペーサ２を複数枚重ねて使用するとき、それらが相互にずれるのを防止するものである。上記突起３と凹部４の個数は、４個に限定する必要はなく、１つまたは４個以外の複数個であってもよい。
【００４６】
その他の構成は、図４の土台パッキン用スペーサ２と同じであるので、同一部材等には同一の符号を付してその説明を省略する。
図７の土台パッキン用スペーサ２においては、中央の切離し部２ｂ１と両側の切離し部２ｂ２，２ｂ２とが、長さ方向に複数に分割されているので、切離し部を細分して本体部２ａや切離し部２ｂ１，２ｂ２から分離して、アンカーボルトＤの位置上の誤差にきめ細かく対応させることができ、これにより、土台Ｂに対する接触面積を狭めることなく、上記誤差を的確に吸収することができる。
【００４７】
図９は本発明の第６の実施の形態を示す。この土台パッキン用スペーサ２は、図６の土台パッキン用スペーサ２における中央の切離し部２ｂ１と両側の切離し部２ｂ２，２ｂ２と補助部２ｅ，２ｅとを、図７の土台パッキン用スペーサ２と同様に、長さ方向に複数（図９の例では切離し部２ｂ１，２ｂ２を３つ、補助部２ｅを２つ）に分割すると共に、本体部２ａの一方の表面の４隅部に突起３を、他方の表面（裏面）に上記突起３に対応する位置に該突起３が嵌合する凹部４を設けたものである。
【００４８】
その他の構成は、図６、図７の土台パッキン用スペーサ２と同じであるので、同一の部材等には同一の符号を付してその説明を省略する。
図９の土台パッキン用スペーサ２においては、中央および両側の切離し部２ｂ１，２ｂ２，２ｂ２と補助部２ｅ，２ｅが共に長さ方向に複数に分割されているので、本体部２ａの幅方向と長さ方向の広範囲にわたって、アンカーボルトＤの位置上の誤差に一層きめ細かく対応させることができ、これにより、土台Ｂに対する接触面積を狭めることなく、大きな誤差でも的確に吸収することができる。
【００４９】
図１の土台パッキン用スペーサ１の大きさは、１００ｍｍ×４９．５ｍｍ×１ｍｍ又は２ｍｍ（厚さ）、半穴１ｄの直径は１７ｍｍとされ、図３の土台パッキン用スペーサ１の大きさは、１５０ｍｍ×４９．５ｍｍ×１ｍｍ又は２ｍｍ（厚さ）、半穴１ｄの長径は１７ｍｍとされ、図４の土台パッキン用スペーサ２の大きさは、１００ｍｍ（幅）×１００ｍｍ（長さ）×１ｍｍ又は２ｍｍ（厚さ）とされ、図６の土台パッキン用スペーサ２の大きさは、１５０ｍｍ（幅）×１００ｍｍ（長さ）×１ｍｍ又は２ｍｍ（厚さ）とされ、図７の土台パッキン用スペーサ２の大きさは、１００ｍｍ（幅）×１００ｍｍ（長さ）×１ｍｍ又は２ｍｍ（厚さ）とされ、また、図９の土台パッキン用スペーサ２の大きさは、１５０ｍｍ（幅）×１００ｍｍ（長さ）×１ｍｍ又は２ｍｍ（厚さ）とされているが、いずれも１２ｍｍ径のアンカーボルトＤを埋設した幅が約１００ｍｍ以上の基礎Ａと、一辺の長さが１００ｍｍの正四角形の土台パッキンＣ、又は長辺（幅）が１５０ｍｍで短辺（長さ）が１００ｍｍの長形状の土台パッキンＣを対象としたものであって、アンカーボルトＤや土台パッキンＣの寸法等によって設計変更されるので、上記に限られるものではない。
【００５０】
本体部１ａ，２ａ、切離し部１ｂ，２ｂ、橋絡部１ｃ，２ｃ、半穴１ｄ、切欠溝１ｅ，１ｆ，２ｄ、補助部１ｇ，２ｅの形状や寸法、或いは個数など、さらには、中央の切離し部２ｂ１の幅方向における分割数、中央の切離し部２ｂ１と両側の切離し部２ｂ２，２ｂ２と補助部２ｅの分割数なども図のものに限られず任意であり、種々設計変更することができる。
【００５１】
また、図の土台パッキン用スペーサ１，２は、耐候性ポリプロピレン５０％に粉状の無機質充填材（炭酸カルシウム）５０％を配合した樹脂製で、滑止めのために表面をシボ加工されて成形されているが、材質は任意であり、塩化ビニールやＡＢＳ樹脂、或いはポリエチレン等の他の材料で製造することもある。本土台パッキン用スペーサ１，２は、基礎Ａと土台パッキンＣの間に挟み込んで使用することも可能である。
【００５２】
【発明の効果】
以上説明したように、請求項１記載の発明によれば、アンカーボルトの位置に対応させて切離し部を弱化部で本体部から分離することによって、土台パッキン用スペーサにアンカーボルトを挿通させる穴を形成することができるので、アンカーボルトの位置上の誤差を幅広く吸収することができて汎用性に優れ、また土台パッキンと土台に対する接触面積が広くて土台を安定よく支持することができる土台パッキン用スペーサが得られる。
【００５３】
また、切離し部の、本体部の一辺側に対応する辺にアンカーボルトを挿通させる半穴を形成しているので、アンカーボルトが基礎の所定位置に正しく設けられている場合、切離し部を本体部から切り離さずに、土台パッキン用スペーサを土台パッキンと土台との間に差し込んで使用することができ、土台パッキン用スペーサの土台パッキンと土台に対する接触面積を最大にすることができる。
【００５４】
また、切離し部を２個以上設けているので、アンカーボルトの位置上の誤差をより幅広く吸収し、また切離し部の切離しによる接触面積の減少をより小さく抑えることができる。
【００５５】
請求項１記載の土台パッキン用スペーサにおいて、弱化部によって切離し自在とされた補助部を切離し部に隣接して設けると、アンカーボルトの位置ずれ吸収能力が一層向上するとともに、接触面積の減少が一層小さくなって、支持性能が高まる。
【００５６】
請求項１又は２記載の土台パッキン用スペーサにおいて、切欠溝を、半穴と該半穴が形成された辺との両方又はいずれか一方に開口して設けると、土台パッキンの上面に設けられた突起を切欠溝で避けて土台パッキン用スペーサを土台パッキンと土台の間に比較的簡単に差し込むことができる。
【００５７】
請求項１記載の土台パッキン用スペーサにおいて、本体部の一辺側からその対向辺側までの長さ寸法を、土台パッキンの長さ寸法と同じに設定すると、本体部から切離し部が弱化部で切り離されてアンカーボルトを挿通する穴が形成された土台パッキン用スペーサを、土台パッキンと土台の間に、それらの片側から差し込んで土台パッキンに整合して接触させることができるので、その差込作業を容易に行うことができて、使い勝手を極めて良くすることができる。
【００５８】
請求項４記載の片側から差し込む形式の土台パッキン用スペーサにおいて、切離し部を本体部の幅方向に複数個設けると、本体部の幅方向におけるアンカーボルトの位置上の誤差を幅広く吸収し、切離し部の切り離しによる上記幅方向における接触面積の減少を小さくすることができる。
【００５９】
請求項４又は５記載の片側から差し込む形式の土台パッキン用スペーサにおいて、切離し部を本体部の長さ方向に複数個設けると、本体部の長さ方向におけるアンカーボルトの位置上の誤差を幅広く吸収し、また、切離し部の切り離しによる上記長さ方向における接触面積の減少を小さくすることができる。
【００６０】
請求項４〜６のいずれか１つに記載の片側から差し込む形式の土台パッキン用スペーサにおいて、弱化部によって切離し自在とされた補助部を切離し部に隣接して設けると、補助部を切り離すことによりアンカーボルトの位置上の誤差を一層幅広く吸収することができるようになり、また、接触面積の減少を一層小さくすることができる。
【００６１】
請求項４〜７のいずれか１つに記載の片側から差し込む形式の土台パッキン用スペーサにおいて、切離し部に、本体部の一辺側で開口し、対向辺側に向けて延びる切欠溝を設けると、土台パッキンの上面に土台の下面に食い込んで土台に対する土台パッキンの横ずれを防止する突起が設けられているような場合、その突起を切欠溝で避けて土台パッキン用スペーサを土台パッキンと土台の間に差し込むことができる。
【図面の簡単な説明】
【図１】  本発明に係る土台パッキン用スペーサの第１の実施の形態を示す平面図である。
【図２】  図１の土台パッキン用スペーサを正面から見た図である。
【図３】  本発明に係る土台パッキン用スペーサの第２の実施の形態を示す平面図である。
【図４】  本発明に係る土台パッキン用スペーサの第３の実施の形態をを示す平面図である。
【図５】  本発明に係る土台パッキン用スペーサの使用方法を説明する図である。
【図６】  本発明に係る土台パッキン用スペーサの第４の実施の形態をを示す平面図である。
【図７】  本発明に係る土台パッキン用スペーサの第５の実施の形態をを示す平面図である。
【図８】  図７の土台パッキン用スペーサを側面から見た図である。
【図９】  本発明に係る土台パッキン用スペーサの第６の実施の形態をを示す平面図である。
【図１０】  土台パッキン用スペーサの使用を説明するための図である。
【符号の説明】
１，２  土台パッキン用スペーサ    １ａ，２ａ  本体部
１ｂ，２ｂ  切離し部              １ｃ  橋絡部（弱化部）
１ｄ  半穴                        １ｅ，１ｆ，２ｄ  切欠溝
１ｇ，２ｅ  補助部                ３  突起
４  凹部                          Ａ  基礎
Ｃ  土台パッキン                  Ｃａ  突起
Ｄ  アンカーボルト
【図１】
0004738640.tif 000002
【図２】
0004738640.tif 000003
【図３】
0004738640.tif 000004
【図４】
0004738640.tif 000005
【図５】
0004738640.tif 000006
【図６】
0004738640.tif 000007
【図７】
0004738640.tif 000008
【図８】
0004738640.tif 000009
【図９】
0004738640.tif 000010
【図１０】
0004738640.tif 000011